(57)【特許請求の範囲】
【請求項１】
チューブ容器の口部に設けられる中栓の上端に形成された保持部内に、塗布用の回転球が回転可能に収容されるロールオンチューブ容器において、
前記保持部の内周面から突出する環状の底部に、前記回転球と線接触して回転自在に支持する突部が形成され、
前記中栓の下部に、チューブ容器の口部内に挿入して固定される円筒状の接続部が設けられており、
前記接続部の下部の内周面に沿って環状の球体収納部が形成されると共に、
前記保持部と保持部の下方に位置する球体収納部とが、中心軸を共有して、所定の間隔をあけて一体的に構成されており、
前記球体収納部に、前記回転球とは異なる球体が上下動可能に収納されており、
前記球体は、球体収納部の上端に形成された球体止部と、接続部の内周の下端近辺の膨出部との間を、上下動可能に移動し、球体収納部の下方への移動端で、球体と膨出部が接することにより、内容物のチューブ容器内への逆流が防止されることを特徴とするロールオンチューブ容器。
【請求項２】
前記接続部の内周面の内径が、前記膨出部の内径と同程度ないし小径であることを特徴とする請求項１記載のロールオンチューブ容器。
【請求項３】
前記球体止部の隙間から内容物が流出するように、前記球体収納部の球体止部に、複数の突起部が形成されていることを特徴とする請求項１又は２記載のロールオンチューブ容器。
【請求項４】
チューブ容器の口部に設けられる中栓の上端に形成された保持部内に、塗布用の回転球が回転可能に収容されるロールオンチューブ容器において、
前記保持部の下部の内周面に形成される環状の底部に、塗布用の回転球と線接触して回転自在に支持する突部が形成され、
前記中栓の下部に、チューブ容器の口部内に挿入される円筒状の接続部が設けられており、
前記接続部の内部に環状の球体収納部が形成されると共に、
前記保持部と保持部の下方に位置する球体収納部とが、中心軸を共有して、所定の間隔をあけて一体的に構成されており、
前記球体収納部に、前記回転球とは異なる球体が上下動不可能に収納されており、
前記球体は、球体収納部の上端に形成された球体止部と、接続部の内周の下端近辺の膨出部との間に収容され、上下動しないように球体収納部の内壁及び球体止部で固定されると共に、
球体止部に、球体が当接したときに内容物を流すための少なくとも１本の縦溝が形成されたことを特徴とするロールオンチューブ容器。
【請求項５】
チューブ容器の口部に設けられる中栓の上端に形成された保持部内に、塗布用の回転球が回転可能に収容されるロールオンチューブ容器において、
前記保持部の下部の内周面に形成される環状の底部に、塗布用の回転球と線接触して回転自在に支持する突部が形成され、
前記中栓の下部に、チューブ容器の口部内に挿入される円筒状の接続部が設けられており、
前記接続部に環状の球体収納部が形成されると共に、
前記保持部と保持部の下方に位置する球体収納部とが、中心軸を共有して、所定の間隔をあけて一体的に構成されており、
前記球体収納部に、前記回転球とは異なる球体が上下動不可能に収納されており、
前記球体は、球体収納部の上端に形成された球体止部と、接続部の内周の下端近辺の膨出部との間に収容され、上下動しないように球体収納部の内壁及び球体止部で固定されると共に、
前記球体止部の内壁又は球体表面に、シボが設けられていることを特徴とするロールオンチューブ容器。
【請求項６】
ボトル容器の口部に設けられる中栓の上端に形成された保持部内に、塗布用の回転球が回転可能に収容されるロールオンボトル容器において、
前記保持部の内周面から突出する環状の底部に、前記回転球と線接触して回転自在に支持する突部が形成され、
前記中栓の下部に、ボトル容器の口部内に挿入して固定される円筒状の接続部が設けられており、
前記接続部の下方に、内周面に沿って環状の球体収納部が形成されると共に、
前記保持部と保持部の下方に位置する球体収納部とが、中心軸を共有して、所定の間隔をあけて一体的に構成されており、
前記球体収納部に、前記回転球とは異なる球体が上下動可能に収納されており、
前記球体は、球体収納部の上方に形成される球体止部と、接続部の内周の下端近辺の膨出部との間を、上下動可能に移動し、球体収納部の下方への移動端で、球体と膨出部が接することにより、内容物のボトル容器内への逆流が防止されることを特徴とするロールオンボトル容器。
【請求項７】
ボトル容器の口部に設けられる中栓の上端に形成された保持部内に、塗布用の回転球が回転可能に収容されるロールオンボトル容器において、
前記保持部の内周面から突出する環状の底部に、前記回転球と線接触して回転自在に支持する突部が形成され、
前記中栓の下部に、ボトル容器の口部内に挿入して固定される円筒状の接続部が設けられており、
前記接続部の下方に、内周面に沿って環状の球体収納部が形成されると共に、
前記保持部と保持部の下方に位置する球体収納部とが、中心軸を共有して、所定の間隔をあけて一体的に構成されており、
前記球体は、球体収納部の上端に形成された球体止部と、接続部の内周の下端近辺の膨出部との間に収容され、上下動しないように球体収納部の内壁及び球体止部で固定されると共に、
球体止部に、球体が当接したときに内容物を流すための少なくとも１本の縦溝が形成されたことを特徴とするロールオンボトル容器。
【請求項８】
ボトル容器の口部に設けられる中栓の上端に形成された保持部内に、塗布用の回転球が回転可能に収容されるロールオンボトル容器において、
前記保持部の下部の内周面に形成される環状の底部に、塗布用の回転球と線接触して回転自在に支持する突部が形成され、
前記中栓の下部に、ボトル容器の口部内に挿入される円筒状の接続部が設けられており、
前記接続部に環状の球体収納部が形成されると共に、
前記保持部と保持部の下方に位置する球体収納部とが、中心軸を共有して、所定の間隔をあけて一体的に構成されており、
前記球体収納部に、前記回転球とは異なる球体が上下動不可能に収納されており、
前記球体は、球体収納部の上端に形成された球体止部と、接続部の内周の下端近辺の膨出部との間に収容され、上下動しないように球体収納部の内壁及び球体止部で固定されると共に、
前記球体止部の内壁又は球体表面に、シボが設けられていることを特徴とするロールオンボトル容器。
【請求項９】
請求項１記載の容器に用いる中栓を、キャビティ、キャビティ入子及びスライドコアを備えた中栓の外形状に合致する金型と、ストリッパー及びコアを備えた前記中栓の球体収納部の内壁形状に合致する金型とを用いて成形し、
ついで、請求項４または５記載の容器に用いる中栓を、前記キャビティ、キャビティ入子及びスライドコアを兼用し、当該球体収納部の内壁形状に合致する金型であるストリッパー及びコアのみを取り替えて成形することを特徴とする中栓の製造方法。
【請求項１０】
請求項６記載の容器に用いる中栓を、キャビティ、キャビティ入子及びスライドコアを備えた中栓の外形状に合致する金型と、ストリッパー及びコアを備えた前記中栓の球体収納部の内壁形状に合致する金型とを用いて成形し、
ついで、請求項７または８記載の容器に用いる中栓を、前記キャビティ、キャビティ入子及びスライドコアを兼用し、当該球体収納部の内壁形状に合致する金型であるストリッパー及びコアのみを取り替えて成形することを特徴とする中栓の製造方法。
【発明の詳細な説明】
【技術分野】
【０００１】
本発明は、高粘度又は低粘度の内容物を、均一に塗布するための回転球を保持する中栓を有するロールオンチューブ容器に関する。
【背景技術】
【０００２】
従来、ロールオンチューブ容器は、回転球の一部をチューブ容器の口部から露出させるように収容した容器であって、この容器を逆さに保持して、露出した回転球の塗布面を被塗布物に接触させ、被塗布物に沿って容器を動かすことによって、内容液を被塗布物に塗布するのに用いられている。従来のロールオンチューブ容器としては、例えば、図９に示すようなものがある。図９において、保持部５１内には回転球５０が収納されている。そして、保持部５１内の底部には、下部から上部に向かって突き出した、突部５５が形成され、これにより、塗布時に回転球５０は、この突部５５の頂点で支持されるので、保持部５１内で円滑に回転しながら塗布することができる。この保持部５１の下方には、チューブ容器５２の口部５３に嵌合せしめられる接続部５４が、保持部５１と中心軸を共有して一体的に構成されている。このような、本発明の先行技術に関する文献としては、特許文献１、特許文献２及び文献３がある。
【先行技術文献】
【特許文献】
【０００３】
【特許文献１】実公昭６２−３８９２３号
【特許文献２】実公昭６３−４０４６８号
【特許文献３】実公平６−５０３７７号
【発明の概要】
【発明が解決しようとする課題】
【０００４】
しかし、このような従来のロールオンチューブ容器は、以下に示すような欠点があった。
（１）押圧して内容物を抽出した後、チューブ容器５２は復元作用により減圧化する。そして、チューブ容器５２内には、エアーバック作用と同時に、一度回転球５０の表面に抽出した薬剤等の内容物が、エアーと一緒に引き戻され、チューブ容器５２内の内容物と混合する欠点があった。
（２）従来、薬剤等の内容物が低粘度の物質である場合、チューブ容器５２の胴部を不注意により強く押圧すると、内容物が回転球の表面に出過ぎるという欠点があった。
（３）従来のロールオンチューブ容器の中栓を、金型で成形する場合、中栓の外形を成形する金型及び中栓の内壁を成形する金型は、その都度設計し製作しなければならないため、金型の製造コストがかかるという欠点があった。
この発明は、このような従来の課題に着目してなされたもので、一度回転球の表面に抽出された薬剤等の内容物が、チューブ容器内に戻るのを防止することにより、内容物の保存性の維持を図ると共に、低粘度の内容物であっても、回転球へ出し過ぎない効果を有する。さらにロールオンチューブ容器の中栓を、金型で成形する場合に、金型コストが安価なロールオンチューブ容器の製造方法を提供することを目的とする。
【課題を解決するための手段】
【０００５】
この課題を解決するため、請求項１記載の発明の解決手段は、チューブ容器の口部に設けられる中栓の上端に形成された保持部内に、塗布用の回転球が回転可能に収容されるロールオンチューブ容器において、 前記保持部の内周面から突出する環状の底部に、前記回転球と線接触して回転自在に支持する突部が形成され、前記中栓の下部に、チューブ容器の口部内に挿入して固定される円筒状の接続部が設けられており、前記接続部の下部の内周面に沿って環状の球体収納部が形成されると共に、前記保持部と保持部の下方に位置する球体収納部とが、中心軸を共有して、所定の間隔をあけて一体的に構成されており、前記球体収納部に、前記回転球とは異なる球体が上下動可能に収納されており、前記球体は、球体収納部の上端に形成された球体止部と、接続部の内周の下端近辺の膨出部との間を、上下動可能に移動し、球体収納部の下方への移動端で、球体と膨出部が接することにより、内容物のチューブ容器内への逆流が防止されることを特徴とするロールオンチューブ容器である。
【０００６】
請求項２記載の発明の解決手段は、前記接続部の内周面の内径が、前記膨出部の内径と同程度ないし小径であることを特徴とするロールオンチューブ容器である。
【０００７】
請求項３記載の発明の解決手段は、球体止部の隙間から内容物が流出するように、球体収納部の球体止部に、複数の突起部が形成されていることを特徴とするロールオンチューブ容器である。
【０００８】
請求項４記載の発明の解決手段は、チューブ容器の口部に設けられる中栓の上端に形成された保持部内に、塗布用の回転球が回転可能に収容されるロールオンチューブ容器において、前記保持部の下部の内周面に形成される環状の底部に、塗布用の回転球と線接触して回転自在に支持する突部が形成され、前記中栓の下部に、チューブ容器の口部内に挿入される円筒状の接続部が設けられており、前記接続部に環状の球体収納部が形成されると共に、前記保持部と保持部の下方に位置する球体収納部とが、中心軸を共有して、所定の間隔をあけて一体的に構成されており、前記球体収納部に、前記回転球とは異なる球体が上下動不可能に収納されており、前記球体は、球体収納部の上端に形成された球体止部と、接続部の内周の下端近辺の膨出部との間に収容され、上下動しないように球体収納部の内壁及び球体止部で固定されると共に、球体止部に、球体が当接したときに内容物を流すための少なくとも１本の縦溝が形成されたことを特徴とするロールオンチューブ容器である。
【０００９】
請求項５記載の発明の解決手段は、チューブ容器の口部に設けられる中栓の上端に形成された保持部内に、塗布用の回転球が回転可能に収容されるロールオンチューブ容器において、前記保持部の下部の内周面に形成される環状の底部に、塗布用の回転球と線接触して回転自在に支持する突部が形成され、前記中栓の下部に、チューブ容器の口部内に挿入される円筒状の接続部が設けられており、前記接続部に環状の球体収納部が形成されると共に、前記保持部と保持部の下方に位置する球体収納部とが、中心軸を共有して、所定の間隔をあけて一体的に構成されており、前記球体収納部に、前記回転球とは異なる球体が上下動不可能に収納されており、前記球体は、球体収納部の上端に形成された球体止部と、接続部の内周の下端近辺の膨出部との間に収容され、上下動しないように球体収納部の内壁及び球体止部で固定されると共に、前記球体止部の内壁又は球体表面に、シボが設けられていることを特徴とするロールオンチューブ容器である。
【００１０】
請求項６、７又は８記載の発明の解決手段は、それぞれチューブ容器に代えて、ボトル容器を用いること以外は請求項１、４又は５記載のロールオンチューブ容器と同一であることを特徴とするロールオンボトル容器である。
【００１１】
請求項９記載の発明の解決手段は、請求項１記載のチューブ容器に用いる中栓を、キャビティ、キャビティ入子及びスライドコアを備えた中栓の外形状に合致する金型と、ストリッパー及びコアを備えた前記中栓の球体収納部の内壁形状に合致する金型とを用いて成形し、ついで、請求項４または５記載のチューブ容器に用いる中栓を、前記キャビティ、キャビティ入子及びスライドコアを兼用し、当該球体収納部の内壁形状に合致する金型であるストリッパー及びコアのみを取り替えて成形することを特徴とする中栓の製造方法である。
請求項１０記載の発明の解決手段は、請求項６記載のボトル容器に用いる中栓を、キャビティ、キャビティ入子及びスライドコアを備えた中栓の外形状に合致する金型と、ストリッパー及びコアを備えた前記中栓の球体収納部の内壁形状に合致する金型とを用いて成形し、ついで、請求項７または８記載のボトル容器に用いる中栓を、前記キャビティ、キャビティ入子及びスライドコアを兼用し、当該球体収納部の内壁形状に合致する金型であるストリッパー及びコアのみを取り替えて成形することを特徴とする中栓の製造方法である。
【発明の効果】
【００１２】
本発明に係るチューブ容器は、一度回転球の表面に抽出された薬剤等の内容物がチューブ容器内に戻らず、内容物の保存性維持に優れる効果を有する。又低粘度の内容物でも、回転球へ出し過ぎない効果を有し、さらに中栓を金型で成形する場合に、金型コストが安価である効果を奏する。
【図面の簡単な説明】
【００１３】
【図１】本発明に係る逆流防止弁付ロールオンチューブ容器の胴部を押圧している状態を示す断面図。
【図２】本発明に係る逆流防止弁付ロールオンチューブ容器の胴部の押圧を解除した状態を示す断面図。
【図３】本発明に係る逆流防止弁付ロールオンチューブ容器の胴部を押圧し、球体と球体収納部との隙間から、内容物が外部に抽出される状態を示す拡大断面図。
【図４】本発明に係る逆流防止弁付ロールオンチューブ容器において、図３のＸ−Ｘ線断面を示す断面図。
【図５】本発明に係る滴下機能付ロールオンチューブ容器の胴部を押圧している状態を示す断面図。
【図６】本発明に係る滴下機能付ロールオンチューブ容器において、内容物が滴下状態で、抽出されるように球体収納部に溝部を形成した状態を示す拡大断面図。
【図７】本発明に係る逆流防止弁付ロールオンチューブ容器の中栓を、金型で成形している状態を示す断面図。
【図８】本発明に係る滴下機能付ロールオンチューブ容器の中栓を、金型で成形している状態を示す断面図。
【図９】従来のロールオンチューブ容器を示す断面図。
【発明を実施するための形態】
【００１４】
以下、本発明の実施例の一例を図面に基づいて説明する。
【００１５】
図１〜図４は、本発明に係るロールオンチューブ容器の実施例１を示す図面であり、逆流防止弁付ロールオンチューブ容器１を示す図面である。チューブ容器１の口部２には、中栓３が嵌合されている。中栓３は、上方の保持部４と下方の球体収納部１０とから成り
球体収納部１０は、保持部４と中心軸を共有するように一体的に形成されている。そして、保持部４には、塗布用の回転球５が収容されている。又保持部４内の底部には、下部から上部に向かって突部６が形成され、これにより塗布時に、回転球５は、この突部６の頂点で線接触で支持されるので、保持部４内で円滑に回転する。なお、チューブ容器１は、単層又は多層のブローチューブ容器、ラミネートチューブ容器等のチューブ容器であり、ブロー成形等の公知の方法で成形される。
【００１６】
球体収納部１０の内壁には、球体７を支持できる膨出部８が形成されている。球体７は、球体収納部１０の下方の開口９から、膨出部８を乗りこえて球体収納部１０内に無理挿入される。そして、球体収納部１０の上方には、図３及び図４に示すように、球体７の上昇を止める球体止部１０ａが形成され、この球体止部１０ａの内壁には、突起部１０ｂが形成されている。実施例１では、球体収納部１０の球体止部１０ａには、全周を４等分する位置に突起部１０ｂが形成されているが、突起部１０ｂの数は任意に決定できる。チューブ容器１の胴部を押圧して、内容物を抽出する場合、球体７は押圧力により上昇するが、この球体収納部１０の球体止部１０ａで上昇が阻止される。そして、内容物は、球体止部１０ａと球体７の隙間を通過して、保持部４の回転球５に送られる。チューブ容器１の胴部の押圧を解除すると、図２に示すように、チューブ容器１内は減圧するので、球体７は、球体止部１０ａから下方に移動し、球体収納部１０の膨出部８に係合する。この係合により内容物が、球体収納部１０より下方のチューブ容器１内へ逆流するのを防止できる。
【００１７】
図５及び図６は、本発明に係るロールオンチューブ容器の実施例２を示す図面であり、滴下機能付ロールオンチューブ容器を示す図面である。チューブ容器１１の口部１２には、中栓１３が嵌合されている。中栓１３は実施例１と同様に、上方の保持部１４と下方の球体収納部２０とから成り、球体収納部２０は、保持部１４と中心軸を共有するように一体的に形成されている。そして、保持部１４には、塗布用の回転球１５が収容されている。又保持部１４内の底部には、下部から上部に向かって突部１６が形成され、これにより塗布時に、回転球１５は、この突部１６の頂点で線接触により支持されるので、保持部１４内で円滑に回転する。
【００１８】
球体収納部２０の内壁には、球体１７を支持できる膨出部１８が形成されている。球体１７は、球体収納部２０の下方の開口１９から、膨出部１８を乗りこえて球体収納部２０内に無理挿入される。一方、球体収納部２０の上方には、図６に示すように、球体１７の上昇を止める球体止部２０ａが形成され、球体１７は、上部がこの球体止部２０ａ、左右が球体収納部２０の内壁により支持され、球体収納部２０内に固定される。すなわち、球体１７は、球体収納部２０内において、上下に移動不可能に固定される。さらに、球体止部２０と球体１７が接触する球体止部２０ａの内壁には、少なくとも１本の縦溝２２が形成されている。縦溝２２の幅、深さ、本数については、内容物の粘度、１回で抽出される内容物の滴下量等によって、任意に決定できる。
【００１９】
実施例２の他の実施態様として、球体止部２０ａの内壁に縦溝２２が形成されないで、球体止部２０ａの外周にシボ加工が施されてもよい。シボ加工の深さは、同様に、内容物の粘度、抽出される内容物の滴下量等によって任意に決定できる。さらに、球体止部２０ａの内壁にシボ加工が施されないで、球体１７の表面にシボ加工が施されれてもよい。なお、本発明の実施例１及び実施例２のように、中栓３、１３は、チューブ容器１、１１の口部２、１２とは別成形で造られ、後から嵌合されてもよく、他の実施態様として、中栓とチューブ容器の口部及び肩部が一体成形され、胴部が溶着されてもよい（図示せず）。又本発明に係るロールオンチューブ容器の中栓は、ボトル容器の口部に適用することもできる（図示せず）。
【００２０】
次に、本発明に係るロールオンチューブ容器の逆流防止機能付チューブ容器１又は滴下機能付チューブ容器１１の中栓３、１３の製造方法は、中栓３、１３を成形する場合において、外形状を成形する場合、外形状に合致する金型を兼用することができる。そして、中栓３、１３の球体収納部１０、２０の内壁形状を成形する場合に、球体収納部１０、２０の内壁形状に合致する金型のみを取り替えて成形することができる。図７に示すように、兼用できる外形状を成形する金型は、キャビティ３０、キャビティ入子３１、スライドコア３２である。一方、中栓３、１３の球体収納部１０、２０の内壁形状を成形する金型は、ストリッパー３３及びコア３４である。
【００２１】
例えば逆流防止機能付チューブ容器１を成形後、滴下機能付チューブ容器１１を成形する場合は、逆流防止機能付チューブ容器１を成形したキャビティ３０、キャビティ入子３１、スライドコア３２及びストリッパー３３をそのまま用い、逆流防止機能付チューブ容器１の球体収納部１０の内壁の成形に用いるコア３４のみを、滴下機能付チューブ容器１１の球体収納部２０の内壁の成形に用いるコア３５と取り替えるだけでよい。したがって、金型コストが安価である。
【産業上の利用可能性】
【００２２】
本発明に係るロールオンチューブ容器は、内容物がエアーバックすることにより品質が変化し易い薬剤、食料品及び接着剤等の内容物を充填する容器として、広く利用することができ、又滴下機能が要求される目薬等を収納するチューブ容器としても、広く利用することができる。
【符号の説明】
【００２３】
１、１１  チューブ容器
２、１２  口部
３、１３  中栓
４、１４  保持部
５、１５  回転球
６、１６  突部
７、１７  球体
８、１８  膨出部
９、１９  開口
１０、２０球体収納部
１０ａ、２０ａ球体止部
１０ｂ  突起部
２２  縦溝
３０  キャビティ
３１  キャビティ入子
３２  スライドコア
３３  ストリッパー
３４  コア
３５  コア
【図１】
0005973721.tif 000002
【図２】
0005973721.tif 000003
【図３】
0005973721.tif 000004
【図４】
0005973721.tif 000005
【図５】
0005973721.tif 000006
【図６】
0005973721.tif 000007
【図７】
0005973721.tif 000008
【図８】
0005973721.tif 000009
【図９】
0005973721.tif 000010